(57)【要約】  【課題】非通信利用時、コネクタ保持部材に対する通信用カードの飛出しを防止し、カード使用状態での外観上の体裁を良くする。  【解決手段】コネクタ本体２はホールドケース５にカード挿脱方向へ移動位可能に設け、カード非通信利用時に、コネクタ本体２の移動変位により、通信用カード２５の端面がホールドケース５の端面と略面一になるように構成する。ホールドケース５は、コネクタ本体２の移動を案内するレール部１３と、コネクタ本体２を非通信利用位置に保持固定するロックピン（保持機構）１４と、コネクタ本体２を非通信利用位置から元の通信利用位置に移動復帰させるリターンバネ（位置復帰機構）２０を具える。【選択図】  図１
2006338960.tif 000002
【特許請求の範囲】
【請求項１】
通信用カードが挿入されるコネクタ本体を有するカードコネクタ装置において、前記コネクタ本体はコネクタ保持部材にカード挿脱方向へ移動可能に設けられ、該コネクタ本体のカード挿入方向への移動により、前記通信用カードの端部が非通信利用時に前記コネクタ保持部材の前端面から突出しないように構成されていることを特徴とするカードコネクタ装置。
【請求項２】
上記コネクタ保持部材は、該コネクタ保持部材に対する上記コネクタ本体の移動を案内するレール部を備えることを特徴とする請求項１記載のカードコネクタ装置。
【請求項３】
上記コネクタ保持部材は、上記コネクタ本体がカード挿入方向に移動してカード非通信利用位置に到達したときに該コネクタ本体を固定保持する保持機構を備えることを特徴とする請求項１又は２記載のカードコネクタ装置。
【請求項４】
上記コネクタ保持部材は、上記コネクタ本体をカード非通信利用位置からカード通信利用位置に移動させる位置復帰機構を備えることを特徴とする請求項１，２又は３記載のカードコネクタ装置。
【発明の詳細な説明】
【技術分野】
【０００１】
本発明はカードコネクタ装置に関するものであり、特に、内蔵アンテナを有する通信用カードが挿入されるカードコネクタ装置に関するものである。
【背景技術】
【０００２】
従来、デジタルカメラ等の電子精密機器に具備されるカードコネクタ装置としては、メモリカード（例えばミニＳＤカード、ｘＤピクチャーカード等）及び通信用カードを選択的に装着できるように構成したものがあり、図１４に示すように、通信用カード２５の挿抜方向長さ寸法は、メモリカード２４よりも長く形成されている。
【０００３】
又、此種カードコネクタ装置２６のコネクタ本体２７は、図１５に示すように、メモリカード２４の全長と見合った一定長さＬのカード挿入部を有する。そして、コネクタ本体２７は、機器本体側に取り付けられるコネクタ保持部材２８に固定して設けられている（例えば、特許文献１）。
【特許文献１】特開平１０−５０４０５号
【発明の開示】
【発明が解決しようとする課題】
【０００４】
上記構成のカードコネクタ装置２６においては、コネクタ本体２７がメモリカード２４と対応する一定長さＬを有するので、メモリカード２４を装着したときは、コネクタ本体２７内、即ち、コネクタ保持部材２８内にメモリカード２４全体が収まる。しかし、通信用カード２５を装着したときは、通信用カード２５が一定長さＬよりも長いので、コネクタ本体２７の端面、即ち、コネクタ保持部材２８の端面から通信用カード２５の一端側部分がはみ出した状態で使用される。
【０００５】
このように、従来のカードコネクタ装置２６では、コネクタ本体２７に挿入された通信用カード２５は、通信利用状態および非通信利用状態において、用コネクタ保持部材２８の端面から通信用カード２５の端側部分が飛び出す状態になる。従って、通信用カード２５を通信利用していないとき、通信用カード２５の一部が飛び出すので、飛び出し部分が邪魔になると共に、外観面の体裁が良くないという問題があった。
【０００６】
そこで、非通信利用時に通信用カードがコネクタ保持部材から飛び出さないように収納し、カード挿入時の外観品質を向上させるために解決すべき技術的課題が生じてくるのであり、本発明は該課題を解決することを目的とする。
【課題を解決するための手段】
【０００７】
本発明は上記目的を達成するために提案されたものであり、請求項１記載の発明は、通信用カードが挿入されるコネクタ本体を有するカードコネクタ装置において、前記コネクタ本体はコネクタ保持部材にカード挿脱方向へ移動可能に設けられ、該コネクタ本体のカード挿入方向への移動により、前記通信用カードの端部が非通信利用時に前記コネクタ保持部材の前端面から突出しないように構成されているカードコネクタ装置を提供する。
【０００８】
この構成によれば、通信用カードの非通信利用時には、コネクタ本体はコネクタ保持部材に対してカード挿入方向に移動し、通信用カードの端部がコネクタ保持部材の前端面から突出しない状態に保持される。
【０００９】
請求項２記載の発明は、上記コネクタ保持部材は、該コネクタ保持部材に対する上記コ
ネクタ本体の移動を案内するレール部を備える請求項１記載のカードコネクタ装置を提供する。
【００１０】
この構成によれば、コネクタ本体がコネクタ保持部材に対してカード挿脱方向に移動する際、コネクタ本体はレール部により円滑に移動案内される。
【００１１】
請求項３記載の発明は、上記コネクタ保持部材は、上記コネクタ本体がカード挿入方向に移動してカード非通信利用位置に到達したときに該コネクタ本体を固定保持する保持機構を備える請求項１又は２記載のカードコネクタ装置を提供する。
【００１２】
この構成によれば、カード挿入状態のコネクタ本体は、カード挿入方向に移動してカード非通信利用位置（収納位置）に到達すると、保持機構により非通信利用位置にコネクタ本体が位置固定される。
【００１３】
請求項４記載の発明は、上記コネクタ保持部材は、上記コネクタ本体をカード非通信利用位置からカード通信利用位置に移動させる位置復帰機構を備える請求項１，２又は３記載のカードコネクタ装置を提供する。
【００１４】
この構成によれば、コネクタ本体がカード非通信利用位置からカード通信利用位置に移動するとき、コネクタ本体は位置復帰機構によりカード通信利用位置に自動的に移動復帰する。
【発明の効果】
【００１５】
請求項１記載の発明は、カード非通信利用状態では、通信用カードの端部はコネクタ保持部材の前端面から飛び出さないようになるので、従来の如く通信用カードの飛び出して邪魔になることがなく、外観上の見栄えも向上するという優れた効果がある。
【００１６】
請求項２記載の発明は、コネクタ保持部材に対するコネクタ本体の移動は、レール部により円滑に案内されるので、請求項１記載の効果に加えて、コネクタ本体は移動中に左右振れを生じる恐れがなく、カード挿脱方向に円滑かつ確実に直線移動するというメリットを有する。
【００１７】
請求項３記載の発明は、カード非通信利用状態では、コネクタ本体が保持機構により位置固定されるので、請求項１，２又は３記載の効果に加えて、コネクタ本体に外力が作用しても、コネクタ本体がコネクタ保持部材に対して位置ずれすることを防止し、正規の位置に確実に固定保持されるという格別の効果がある。
【００１８】
請求項４記載の発明は、コネクタ本体は、位置復帰機構により非通信利用位置から元の通信利用位置に自動復帰するので、請求項１，２又は３記載の効果に加えて、コネクタ本体の非通信利用状態から通信利用状態への位置変更を容易迅速に行えるという特有の利点がある。
【発明を実施するための最良の形態】
【００１９】
本発明による最良の形態では、コネクタ本体はコネクタ保持部材にカード挿脱方向へ移動可能に設けられ、コネクタ本体のカード挿入方向への移動により、通信用カードの端部が非通信利用時にコネクタ保持部材の前端面から突出しないように構成され、コネクタ保持部材は、コネクタ保持部材に対するコネクタ本体の移動を案内するレール部と、コネクタ本体がカード挿入方向に移動してカード非通信利用位置に到達したときにコネクタ本体を固定保持する保持機構と、コネクタ本体をカード非通信利用位置からカード通信利用位置に移動させる位置復帰機構とを備えることにより、非通信利用時に、通信用カードの一
部がコネクタ保持部材から飛び出して邪魔になることを防止し体裁を良くし、且つ、コネクタ本体の移動を円滑にし、コネクタ本体の収納位置での固定を確実にすると共に、コネクタ本体が元位置に容易迅速に復帰するという目的を達成した。
【実施例】
【００２０】
以下、本発明の一実施の形態を図１乃至図１４に従って説明する。本実施例に係るコネクタ本体２は、互いに長さの異なる上記メモリカード（２４）及び通信用カード２５が挿入されるタイプのものである。このコネクタ本体２は、ホールドケース（コネクタ保持部材）５にカード挿脱方向へ移動可能に設け、寸法の長い通信用カード２５を通信利用しない時には、通信用カード２５の手前側端面がホールドケース５の端面と略面一になるよう、コネクタ本体２を収納位置に移動して停止保持できるように構成する。なお、上記メモリカード（２４）は、コネクタ本体２を通信利用位置に保持したままで、従来同様に装着して使用できる。
【００２１】
ホールドケース５には、コネクタ本体２の移動を案内するレール部１３と、コネクタ本体２を収納位置に固定するロックピン（保持機構）１４と、コネクタ本体２を収納位置即ちカード挿入状態位置（図７（ａ）参照）から、カード通信利用位置即ちカードイジェクト状態位置（図７（ｂ）参照）に変位復帰させるリターンバネ（位置復帰機構）２０とを設ける。このカード挿入状態およびカードイジェクト状態において、通信用カード２５は、常にコネクタ本体２に完全に装着されているため、通信用カード２５側の導電面８とコネクタ本体２側の端子部７は電気的にも相互接触している。
【００２２】
なお、通信利用時には、通信用カード２５をイジェクトすると、カード長さの約１/４程度はコネクタ用ホールドケース５より飛び出した状態になり、この状態でも前記カード２５はコネクタ本体２と電気的に接触している。
【００２３】
本発明のカードコネクタ装置１は、コネクタ本体２が移動変位可能に具備されている。カードコネクタ装置１は、例えばデジタルカメラや携帯情報端末に取り付けられる、これに限定されないことは勿論である。又、本発明のカードコネクタ装置１は、通信機能を有するカメラカード、ＧＰＳカード、ＬＡＮカード、ＰＨＳ通信用カード等を収納する場合にも、幅広く応用することができる。
【００２４】
図１乃至図６は、一実施の形態に係るコネクタ装置１の構成例を示す。図において、２はカードコネクタ装置１のコネクタ本体であり、コネクタ本体２の前面側には、回動カバー付きのカードスロット３が形成され、カードスロット３には、互いに長さの異なる複数種類のカード、例えば、通信機能を有しないメモリカード２０と、該メモリカード２０よりも挿抜方向寸法の長い通信用カード２５とが選択的に装着可能とされている。
【００２５】
コネクタ本体２のカード挿入方向Ｒ側の奥方端部にはコネクタピン４が形成され、コネクタピン４は、フレキシブル導電フィルム６を介して、図示せぬ機器本体側に導電接続されている。コネクタ本体２は、金属製ホールドケース５に対してカード挿入引抜方向ＲＦへ摺動可能に設けられている。このため、コネクタ本体２の摺動変により、該コネクタ本体２に装着された通信用カード２５は、通信利用位置と非通信利用位置とに移動変更できるよう構成されている。
【００２６】
通信用カード２５の前端部は、通信利用位置では、ホールドケース５の前端面から所定寸法だけ前方に飛び出すが、非通信利用位置では、前記飛出し寸法の分だけ奥方へ移動変位してセットされる。換言すれば、コネクタ本体２は、カード収納時には、通信用カード２５と共に収納位置まで後退変位し、この後退状態では、通信用カード２５の手前側端面は、ホールドケース５の前端面とほぼ同一になり、従来の如き飛び出し状態を呈すること
がない。
【００２７】
前記コネクタピン４は端子部７を有し、該端子部７は、通信用カード２５側の導電面８と接触可能に設けられている。通信用カード２５をコネクタ本体２に装着すると、通信用カード２５側の導電面８は、コネクタ本体２側の端子部７を介してコネクタピン４と導通する。
【００２８】
コネクタ本体２の側面部には、通信用カード２５のコネクタ用切欠部と係合可能な係合突部（図示省略）が設けられている。この係合突部は、通信用カード２５がコネクタ本体２の所定位置まで差し込まれた時に切欠部と係合し、これにより、通信用カード２５はコネクタ本体２に対し位置決め固定される。
【００２９】
前記ホールドケース５には、コネクタ本体２の進退動を案内するレール部１３ａ，１３ｂ，１３ｃと、コネクタ本体２をカード収納位置に固定保持する保持機構とが設けられている。レール部１３ａ，１３ｂ，１３ｃはここでは、ホールドケース５の幅方向における両端部および中央部にてカード挿抜方向ＲＦに延びて形成され、レール部１３ａ，１３ｂ，１３ｃにコネクタ本体２の対応部分がスライド自在に嵌合している。
【００３０】
レール部１３ａ，１３ｂ，１３ｃにより、コネクタ本体２はホールドケース５に対し、カード挿抜方向ＲＦへ円滑に摺動案内される。また、保持機構により、コネクタ本体２はホールドケース５に対し、カード収納位置に保持固定される。保持機構はここではロックピン方式ハートカム機構を用いているが、コネクタ本体２をカード収納位置に保持固定できれば、これに限らず他の位置保持手段を採用しうる。
【００３１】
ハートカム機構のロックピン１４は、板ばね１１でコネクタ本体２の側面側に付勢されて、ホールドケース５の一側内面に設けられ、コネクタ本体２側のハートカム溝１５に摺動自在に嵌合している（図８（ｂ）参照）。ハートカム溝１５は、コネクタ本体２を通信用カード２５と共に最大変位量押し込んだときにロックピン１４が嵌合する往路端部１６（図１０（ｂ）参照）と、そのあと押し込み力を解除したときにロックピン１４が嵌合固定するロック固定部１７（図１１（ｂ）参照）と、そのあとコネクタ本体２を最大変位量押し込んだときにロックピン１４が嵌合する復路端部１８とを有する（図１２（ｂ）参照）。
【００３２】
さらに、ホールドケース５には、コネクタ本体２をカード収納位置から元のカード通信利用位置に移動復帰させるための位置復帰機構が設けられ、位置復帰機構としてはここではリターンバネ（引っ張りコイルスプリング）２０が使用されている。リターンバネ２０は、ホールドケース側の突起部２１とコネクタ本体側の突起部２２との間に介装され、ホールドケース５に対してコネクタ本体２をカード抜去方向Ｆに常に弾発付勢している。このリターンバネ２０の力により、コネクタ本体２はホールドケース５に対し、カード収納位置からカード通信利用位置に自動復帰できるように構成されている。
【００３３】
次に、本実施例の動作について説明する。図８は、コネクタ本体２に通信用カード２５を差し込む前のカードなし状態を示し、図９は、通信利用可能な通信用カード２５をコネクタ本体２に装着して、非通信位置に移動させる際のカード挿入開始状態を示す。尚、通信用カード２５の通信利用時において、ロックピン１４は、図９（ｂ）に示すように、ハートカム溝１５の始端位置にて嵌合している。
【００３４】
いま、通信用カード２５を非通信状態位置に移動させる際は、カードスロット３に通信用カード２５を挿入して、通信用カード２５をコネクタ本体２と共にカード挿入方向Ｒへ押し込んでいく。そして、通信用カード２５が最大量の位置まで押し込まれると、図１０
に示すように、ロックピン２がハートカム溝１５の往路端部１６に嵌合し、通信用カード２５が最大押し込み位置にて一旦停止する。
【００３５】
この後、通信用カード２５の押し込み力を解除すると、図１１に示すように、コネクタ本体２はやや後退動して、非通信利用位置に収納固定される。この状態では、ロックピン１４が前記カム溝１５のロック固定部２１に嵌合することにより、コネクタ本体２はホールドケース５に対してロック保持される。この場合、通信用カード２５の前端面は、ホールドケース５の前端面と略面一になって位置固定される。
【００３６】
このあと、通信用カード２５を非通信利用位置から通信利用位置に移動させる場合は、通信用カード２５を更にカード挿入方向Ｒに押し込んだのち、カード押し込み力を解除すれば良い。すると、図１２に示すように、通信用カード２５はカードロック状態を解除して、この後、図１３に示すように、リターンバネ２０により通信利用位置に自動的に復帰する。即ち、ロックピン１４がカム溝１５の復路端部１８に一旦嵌合したのち、コネクタ本体２が元のカード通信利用位置に復帰移動する。
【００３７】
このように、通信用カード２５の非通信利用時には、コネクタ本体２をカード挿入方向Ｒのカード収納位置まで移動して保持されることにより、通信用カード２５の前端面はコネクタ本体２の前端面と略面一の状態になる。従って、通信用カード２５の前端部が、コネクタ本体２の前端面から飛び出さないので、従来のように、通信用カード２５の前端部が邪魔にならず、外観上の見栄えも良くなり、製品品質が向上する。
【００３８】
又、カード挿着状態のコネクタ本体２が前進後退する際は、コネクタ本体２はホールドケース５に対して、レール部１３ａ，１３ｂ，１３ｃにより円滑に移動案内される。従って、コネクタ本体２は、通信用カード２５の挿入方向寸法が長い場合でも、左右幅方向に振れることなく、カード挿脱方向ＲＢにスムーズに摺動変位することができる。
【００３９】
さらに、コネクタ本体２が非通信利用位置まで移動すると、コネクタ本体２はホールドケース５に対して、ロックピン１４によりにロック固定される。従って、カード非通信利用時に、たとえコネクタ本体２に外力が作用した場合であっても、コネクタ本体２が移動変位することを防止でき、もって、コネクタ本体２と通信用カード２５間の電気的接続を確実に維持することができる。
【００４０】
更にまた、コネクタ本体２を非通信利用状態から通信利用状態に位置変更する際、コネクタ本体２はリターンバネ２０により、通信利用位置に自動的に移動復帰される。従って、コネクタ本体２の通信利用位置への切り換え変更を容易迅速に行える。
【００４１】
尚、本発明は、本発明の精神を逸脱しない限り種々の改変を為すことができ、そして、本発明が該改変されたものに及ぶことは当然である。
【図面の簡単な説明】
【００４２】
【図１】本発明による一実施の形態を示し、コネクタ装置の平面図。
【図２】一実施の形態に係るコネクタ装置の前面図。
【図３】同上コネクタ装置の後面図。
【図４】同上コネクタ装置の左側面図。
【図５】同上コネクタ装置の右側面図。
【図６】同上コネクタ装置の裏面図。
【図７】（ａ）は同上コネクタ装置における通信用カードを収納位置に装着したときの状態を示す一部断面説明図、（ｂ）は同上コネクタ装置における通信用カードを通信利用位置に装着したときの状態を示す一部断面説明図。
【図８】同上コネクタ装置におけるデータ通信用カードを差し込む前の状態を示し、（ａ）はコネクタ装置の平面図、（ｂ）はハートカム機構の動作説明図。
【図９】同上コネクタ装置本体にデータ通信用カードを収納位置（非通信利用位置）に装着したときの状態を示し、（ａ）はコネクタ装置の平面図、（ｂ）はハートカム機構の動作説明図。
【図１０】同上コネクタ装置における通信用カードを挿入時に最大押し込み位置まで押し込んだときの状態を示し、（ａ）はコネクタ装置の平面図、（ｂ）はハートカム機構の動作説明図。
【図１１】同上コネクタ装置におけるデータ通信用カードをカードロック位置に押し込んだときの状態を示し、（ａ）はコネクタ装置の平面図、（ｂ）はハートカム機構の動作説明図。
【図１２】同上コネクタ装置におけるデータ通信用カードを抜去時に最大押し込み位置まで押し込んだときの状態を示し、（ａ）はコネクタ装置の平面図、（ｂ）はハートカム機構の動作説明図。
【図１３】同上コネクタ装置における通信用カードを元位置に復帰させてイジェクト完了時の状態を示し、（ａ）はコネクタ装置の平面図、（ｂ）はハートカム機構の動作説明図。
【図１４】（ａ）はメモリカードの平面図、（ｂ）は通信用カードの平面図。
【図１５】（ａ）は従来のコネクタ装置にメモリカードを装着したときの状態を示す一部断面説明図、（ｂ）は該コネクタ装置に通信用カードを装着したときの状態を示す一部断面説明図。
【符号の説明】
【００４３】
１      カードコネクタ装置
２      コネクタ本体
３      カードスロット
４      コネクタピン
５      ホールドケース（コネクタ保持部材）
６      フレキシブル導電フィルム
７      端子部
８      導電面
１１    板ばね
１３ａ  レール部
１３ｂ  レール部
１３ｃ  レール部
１４    ロックピン（保持機構）
１５    ハートカム溝
１６    往路端部
１７    ロック固定部
１８    復路端部
２０    リターンバネ（位置復帰機構）
２１    ケース側突起部
２２    本体側突起部
２４    メモリカード
２５    通信用カード
【図１】
2006338960.tif 000003
【図２】
2006338960.tif 000004
【図３】
2006338960.tif 000005
【図４】
2006338960.tif 000006
【図５】
2006338960.tif 000007
【図６】
2006338960.tif 000008
【図７】
2006338960.tif 000009
【図８】
2006338960.tif 000010
【図９】
2006338960.tif 000011
【図１０】
2006338960.tif 000012
【図１１】
2006338960.tif 000013
【図１２】
2006338960.tif 000014
【図１３】
2006338960.tif 000015
【図１４】
2006338960.tif 000016
【図１５】
2006338960.tif 000017